(57)【要約】【課題】燃料タンク内に貯蔵された燃料の量を正確に管理する。【解決手段】各燃料タンク１２〜１４と、各燃料タンク１２〜１４内に貯蔵された燃料のレベル及び温度を取得可能に構成された情報通信端末４０とを具備し、情報通信端末４０は、燃料のレベルに応じて定義された各燃料タンク１２〜１４内の燃料の容積である見掛容積を示す燃料レベル・容積変換テーブルから燃料タンクより取得したレベルに対応する見掛容積を抽出し、燃料の温度、及び燃料の密度に基づいて任意の温度を有する燃料の容積から摂氏１５度における燃料の容積に換算する数値である容積換算係数を算出すると共に、当該容積換算係数に見掛容積を乗じて１５度換算容積を算出し、各燃料タンク１２〜１４に供給される際に別途計測されて摂氏１５度における燃料の量を示す帳簿燃料データと１５度換算容積とを比較する。【選択図】図１
2008260552.tif 000002
【特許請求の範囲】
【請求項１】
燃料を貯蔵する燃料タンクと、前記燃料タンク内に貯蔵された前記燃料の前記燃料タンクの底面からの高さを示すレベル及び温度を取得可能に構成された情報通信端末とを具備する燃料タンク貯蔵量管理システムであって、
前記燃料タンクに貯蔵された燃料の密度を格納するデータベースを具備し、
前記情報通信端末は、燃料のレベルに応じて定義された燃料タンク内の燃料の容積である見掛容積を示す燃料レベル・容積変換テーブルから前記燃料タンクより取得した前記レベルに対応する見掛容積を抽出し、
前記燃料の温度、及び前記燃料の密度に基づいて任意の温度を有する燃料の容積から所定温度における燃料の容積に換算する数値である容積換算係数を算出すると共に、当該容積換算係数に前記見掛容積を乗じて所定温度における容積である所定温度換算容積を算出し、
前記燃料タンクに供給又は消費される際に別途計測されて前記所定温度における燃料の量を示す帳簿燃料データと前記所定温度換算容積とを比較する
ことを特徴とする燃料タンク貯蔵量管理システム。
【請求項２】
請求項１に記載する燃料タンク貯蔵量管理システムにおいて、
前記情報通信端末は、前記所定温度換算容積に、前記燃料タンクに接続されて燃料が流れる管路の容積を加える
ことを特徴とする燃料タンク貯蔵量管理システム。
【請求項３】
請求項１又は２に記載する燃料タンク貯蔵量管理システムにおいて、
前記燃料は、原油、重油、又は軽油を組合せた混合油であり、
前記データベースは、前記燃料タンクに貯蔵された混合油の原油、重油、及び軽油の混合比率を格納し、
前記情報通信端末は、前記混合油の混合比率に基づいて前記混合油の容積換算係数を算出すると共に、当該容積換算係数に基づいて前記混合油の所定温度換算容積を算出する
ことを特徴とする燃料タンク貯蔵量管理システム。
【請求項４】
請求項１〜請求項３の何れかに記載する燃料タンク貯蔵量管理システムにおいて、
前記情報通信端末は、前記燃料タンクより前記燃料のレベル及び前記温度を取得したときを示す日時データ、前記燃料のレベル、温度、見掛容積、及び所定温度換算容積を燃料タンク時系列データとして所定間隔で前記データベースに格納し、
前記データベースに格納された複数の前記燃料タンク時系列データから指定期間に該当するものを該燃料タンク時系列データとして抽出すると共に、この該燃料タンク時系列データに含まれる前記燃料の見掛容積、及び所定温度換算容積を前記日時データ毎に表示する
ことを特徴とする燃料タンク貯蔵量管理システム。
【請求項５】
請求項１〜請求項４に記載する燃料タンク貯蔵量管理システムにおいて、
前記情報通信端末は、前記燃料タンク時系列データの前記所定温度換算容積と当該燃料タンク時系列データを基にして将来予想される前記燃料タンク内の燃料の所定温度換算容積を算出する所定の予測関数とに基づいて、前記燃料タンクの燃料の残存量を予想する消費予想グラフを作成する
ことを特徴とする燃料タンク貯蔵量管理システム。
【発明の詳細な説明】
【技術分野】
【０００１】
本発明は燃料タンク貯蔵量管理システムに関し、特に、熱膨張を考慮して燃料タンク内の燃料の貯蔵量を管理する場合に適用して有用なものである。
【背景技術】
【０００２】
従来、工場やオフィスにおいては、生産活動や冷暖房に使用される燃料を貯蔵する燃料タンクが配設され、この燃料タンクの管理のための担当員も配備されていた。この担当員による燃料タンクの管理業務は、例えば燃料タンクの燃料の貯蔵量を監視し、必要に応じて燃料を発注して補給を行うものであった。このような管理業務の負担を軽減するために、燃料タンクの燃料の貯蔵量を監視する装置を具備し、かかる装置からの貯蔵量に関する情報を通信ネットワークを介して取得すると共に、貯蔵量が所定量以下になったことを検出して燃料タンクのある設備に対して燃料の配送を行うことを支援する技術がある（例えば、特許文献１参照）。
【０００３】
一方、一般的に重油、軽油、又は原油などの燃料は温度によって容積が変動するものである。したがって、燃料タンクへ或る温度の燃料を供給したときの容積と、燃料タンクに貯蔵された燃料の容積とは、環境の温度の変動等により必ずしも一致しない場合がある。上述したような技術は、このような場合を考慮したものではなく、燃料タンク内にある燃料の貯蔵量を正確に把握できるものではなかった。
【０００４】
特に、火力発電所に設置される燃料タンクに貯蔵される重油等の燃料は、膨大な量であることから、この不一致の程度は大きくなり種々の問題を生じていた。例えば、燃料タンクへの重油の供給時の容積を１００ｋｌと帳簿上に記録する一方、燃料タンクのレベルメータで測定した結果、後者の容積は１１０ｋｌとなることがある。このことは、帳簿上の燃料と燃料タンクから払い出した燃料の容積とが不一致となるなどの、会計上の問題を引き起こす原因となっていた。
【０００５】
【特許文献１】特開２００３−１８６９５５号公報
【発明の開示】
【発明が解決しようとする課題】
【０００６】
本発明は、かかる事情に鑑み、燃料タンク内に貯蔵された燃料の量を正確に管理する燃料タンク貯蔵量管理システムを提供することを目的とする。
【課題を解決するための手段】
【０００７】
上記目的を達成するための本発明の第１の態様は、燃料を貯蔵する燃料タンクと、前記燃料タンク内に貯蔵された前記燃料の前記燃料タンクの底面からの高さを示すレベル及び温度を取得可能に構成された情報通信端末とを具備する燃料タンク貯蔵量管理システムであって、前記燃料タンクに貯蔵された燃料の密度を格納するデータベースを具備し、前記情報通信端末は、燃料のレベルに応じて定義された燃料タンク内の燃料の容積である見掛容積を示す燃料レベル・容積変換テーブルから前記燃料タンクより取得した前記レベルに対応する見掛容積を抽出し、前記燃料の温度、及び前記燃料の密度に基づいて任意の温度を有する燃料の容積から所定温度における燃料の容積に換算する数値である容積換算係数を算出すると共に、当該容積換算係数に前記見掛容積を乗じて所定温度における容積である所定温度換算容積を算出し、前記燃料タンクに供給又は消費される際に別途計測されて前記所定温度における燃料の量を示す帳簿燃料データと前記所定温度換算容積とを比較することを特徴とする燃料タンク貯蔵量管理システムにある。
【０００８】
かかる第１の態様では、実測した燃料タンク内の燃料の容積と、燃料タンクに燃料を供給する際に帳簿上に記録された所定温度における燃料の容積と比較して、これらの容積の差をより正確に提示することができる。
【０００９】
本発明の第２の態様は、第１の態様に記載する燃料タンク貯蔵量管理システムにおいて、前記情報通信端末は、前記所定温度換算容積に、前記燃料タンクに接続されて燃料が流れる管路の容積を加えることを特徴とする燃料タンク貯蔵量管理システムにある。
【００１０】
かかる第２の態様では、燃料供給路内部に貯留した燃料を燃料タンクに貯蔵された燃料に加味して正確に燃料の貯蔵量を把握することができる。
【００１１】
本発明の第３の態様は、第１又第２の態様に記載する燃料タンク貯蔵量管理システムにおいて、前記燃料は、原油、重油、又は軽油を組合せた混合油であり、前記データベースは、前記燃料タンクに貯蔵された混合油の原油、重油、及び軽油の混合比率を格納し、前記情報通信端末は、前記混合油の混合比率に基づいて前記混合油の容積換算係数を算出すると共に、当該容積換算係数に基づいて前記混合油の所定温度換算容積を算出することを特徴とする燃料タンク貯蔵量管理システムにある。
【００１２】
かかる第３の態様では、燃料が混合油である場合でも、所定温度換算容積を算出することができる。
【００１３】
本発明の第４の態様は、第１〜第３の何れかの態様に記載する燃料タンク貯蔵量管理システムにおいて、前記情報通信端末は、前記燃料タンクより前記燃料のレベル及び前記温度を取得したときを示す日時データ、前記燃料のレベル、温度、見掛容積、及び所定温度換算容積を燃料タンク時系列データとして所定間隔で前記データベースに格納し、前記データベースに格納された複数の前記燃料タンク時系列データから指定期間に該当するものを該燃料タンク時系列データとして抽出すると共に、この該燃料タンク時系列データに含まれる前記燃料の見掛容積、及び所定温度換算容積を前記日時データ毎に表示することを特徴とする燃料タンク貯蔵量管理システムにある。
【００１４】
かかる第４の態様では、燃料タンクの燃料は、指定期間における燃料の貯蔵量の変化の量が比較されるため、燃料タンク貯蔵量管理システムの利用者に対して、指定期間における変化量を明確に提示することができる。
【００１５】
本発明の第５の態様は、第１〜第４の何れかの態様に記載する燃料タンク貯蔵量管理システムにおいて、前記情報通信端末は、前記燃料タンク時系列データの前記所定温度換算容積と当該燃料タンク時系列データを基にして将来予想される前記燃料タンク内の燃料の所定温度換算容積を算出する所定の予測関数とに基づいて、前記燃料タンクの燃料の残存量を予想する消費予想グラフを作成することを特徴とする燃料タンク貯蔵量管理システムにある。
【００１６】
かかる第５の態様では、燃料タンクの燃料は、将来における燃料の貯蔵量が予想されて表示されるため、燃料タンク貯蔵量管理システムの利用者が燃料タンクに燃料を補給する日時を推定することを支援するための情報を提示することができる。
【発明の効果】
【００１７】
本発明によれば、実測した燃料タンク内の燃料の容積と、燃料タンクに燃料を供給する際に帳簿上に記録された所定温度における燃料の容積とを比較して、これらの容積の差をより正確に提示することができる。また、所定温度における燃料の容積の算出を燃料情報通信端末で集中的に管理することにより、燃料タンクの管理業務に従事する作業員に掛かる負担を軽減することができる。
【発明を実施するための最良の形態】
【００１８】
以下、本発明を実施するための最良の形態について説明する。なお、本実施形態の説明は例示であり、本発明は以下の説明に限定されない。
【００１９】
＜実施形態１＞
本実施形態は、例えば複数の燃料タンクを有する火力発電所において、これらの燃料タンク内に貯蔵された燃料の貯蔵量を正確に把握することが可能な燃料タンク貯蔵量管理システムを実現するものである。
【００２０】
図１は、実施形態１に係る燃料タンク貯蔵量管理システムの概略構成を示す図である。図１に示すように、燃料タンク貯蔵量管理システム１は、３つの燃料タンク１２、１３、１４と、情報通信端末４０とが設けられている。これらの燃料タンク１２〜１４は、その内部には燃料である原油、重油、若しくは軽油、又はこれらを混合したものである混合油が貯蔵されている。本実施形態では、燃料タンク１２には重油と原油の比率が１：２である混合油が、燃料タンク１３には重油が、燃料タンク１４には原油が貯蔵されている。なお、上述した燃料タンクの数は３つに限定されず、複数個あってもよいし１つでもよい。
【００２１】
また、各燃料タンク１２〜１４には、その内部に貯蔵された燃料の燃料タンクの底面からの高さを示すレベルを計測するレベルメータと、燃料タンク内の燃料の温度を計測する温度計と（何れも図示せず）、燃料タンクデータ発信機２０とが設けられている。この燃料タンクデータ発信機２０は、レベルメータ、温度計を介して取得したレベル、及び温度をデータとして、後述する燃料タンクデータ受信機２１に無線通信手段３０を介して送信する。
【００２２】
なお、各燃料タンク１２〜１４には、例えば重油の運搬船から重油の供給を受けるための燃料供給路１１や重油をタービン等へ供給する管路（図示せず）が設けられており、燃料の使用状況等によっては、その内部は空ではなく燃料が満たされている場合がある。
【００２３】
一方、情報通信端末４０は、例えば火力発電所の管理施設などに配設されており、後述する燃料タンクデータ発信機２０、及び燃料タンクデータ受信機２１を介して、各燃料タンク１２〜１４に貯蔵された燃料のレベル、及び温度を取得可能に構成されている。
【００２４】
詳言すると、情報通信端末４０は、例えば、パーソナルコンピュータからなり、ＣＰＵと共に、ＲＯＭ、ＲＡＭ及びハードディスクなどの記憶装置を具備し、液晶画面などの表示部及びキーボードなどの入力部を備えている（何れも図示せず）。さらに情報通信端末４０は、燃料タンクデータ発信機２０からのデータを受信する燃料タンクデータ受信機２１とＲＳ２３２Ｃ（ＡＮＳＩ／ＴＩＡ／ＥＩＡ−５７４−９０）などのインタフェースを介して接続されている。すなわち、情報通信端末４０は、燃料タンクデータ受信機２１を制御するドライバプログラム等を実行することで、燃料タンクデータ発信機２０からのデータを取得することが可能となっている。
【００２５】
また、燃料タンクデータ発信機２０からのデータは、各燃料タンク１２〜１４に貯蔵された燃料のレベル、及び温度だけではなく、各燃料タンク１２〜１４の何れかから送信されたかを識別する燃料タンク識別コードと共に燃料タンクデータ受信機２１に送信される。すなわち、情報通信端末４０は、取得したレベル、及び温度が各燃料タンク１２〜１４の何れかから送信されたものであるかを識別可能になっている。
【００２６】
なお、この燃料タンクデータ発信機２０と燃料タンクデータ受信機２１とのデータの授受に関しては、無線通信手段３０に限定されず、例えば光ファイバなどの有線による通信手段を用いてもよい。また、データを授受するタイミングは特に限定されないが、本実施形態では、燃料タンクデータ受信機２１が情報通信端末４０からの指令を受けて、１分毎に燃料タンクデータ発信機２０に対してデータを送信するよう要求し、この要求を受けた燃料タンクデータ発信機２０からのデータを受信するように構成されている。
【００２７】
情報通信端末４０は、上述のようにして各燃料タンク１２〜１４からの燃料のレベル、及び温度を入力データとして取得する一方、データベース５０に予め格納された種々のデータを用いて所定の処理を行い、各燃料タンク１２〜１４の燃料を正確に管理する。この所定の処理は、後述するように、情報通信端末４０に容積換算係数計算機能４１、配管容量加算機能４２、帳簿燃料データ比較機能４３、貯蔵量変化表示機能４４、及び消費予想曲線描画機能４５を有するプログラムを実行させることにより実現される。
【００２８】
データベース５０は、例えばＲＤＢＭＳ（Ｒｅｌａｔｉｏｎａｌ  ＤａｔａＢａｓｅ  Ｍａｎａｇｅｍｅｎｔ  Ｓｙｓｔｅｍ）であり、各燃料タンク１２〜１４に格納された燃料の各々の密度と、燃料が混合油であるならばその混合比率とを格納している。さらに本実施形態では、燃料レベル・容積変換テーブルを格納している。また、データベース５０は、後述するように各燃料タンク１２〜１４に貯蔵された燃料に関する燃料タンク時系列データを格納・検索等を行うために用いられる。
【００２９】
ここで、燃料レベル・容積変換テーブルとは、各燃料タンク１２〜１４に貯蔵された燃料のレベルと、このレベルのときの当該燃料の容積である見掛容積との対応を予め定義したデータをいう。例えば各燃料タンク１２〜１４に貯蔵された燃料のレベルとして「６０００ｍｍ」を燃料レベル・容積変換テーブルに照らし合わせたとき、当該燃料の見掛容積は「６０００ｋｌ」である、などの結果を得ることができる。なお、このレベルは、各燃料タンク１２〜１４の形状に応じて適切な範囲や間隔で予め定めればよい。
【００３０】
なお、このデータベース５０は、情報通信端末４０で稼働するものに限定されない。例えばデータベース５０は、情報通信端末４０と通信手段を介して接続された他の情報通信端末で稼働されて、情報通信端末４０から情報を格納、又は参照可能に構成されたものでもよい。
【００３１】
容積換算係数計算機能４１は、データベース５０に格納された各燃料タンク１２〜１４の燃料レベル・容積変換テーブルから、燃料タンクデータ受信機２１を介して取得した各燃料タンク１２〜１４に貯蔵された燃料のレベルに対応する見掛容積を算出する。
【００３２】
一方、燃料タンクデータ受信機２１を介して取得した各燃料タンク１２〜１４に貯蔵された燃料の温度と、データベース５０に格納された各燃料タンク１２〜１４に貯蔵された燃料の密度とから所定の計算式を用いて容積換算係数を算出する。
【００３３】
ここで、容積換算係数とは、任意の温度を有する燃料の容積から所定温度における燃料の容積に換算する数値をいう。本実施形態では、所定温度として摂氏１５度を用いる。すなわち、各燃料タンク１２〜１４内部の各種燃料は、環境に応じて任意の温度を有し、この温度に応じて膨張・収縮してその容積が変動するものであるが、この容積換算係数を乗じることにより、摂氏１５度における容積に変換することができる。
【００３４】
より具体的には、ＪＩＳ−２２４９−１９８７に定められた以下の計算式に基づいて容積換算係数を算出する。
【００３５】
【数１】
2008260552.tif 000003
【００３６】
【表１】
2008260552.tif 000004
【００３７】
なお、燃料が混合油である場合は、この混合比率に基づいて容積換算係数を算出する。具体的には、数２に示すように、混合油を構成する油種毎の容積換算係数を算出し、この各油種の容積換算係数とその油種の量を乗じ、これらの和を混合油の容積換算係数とする。
【００３８】
【数２】
2008260552.tif 000005
【００３９】
そして、容積換算係数計算機能４１は、先に算出した見掛容積と容積換算係数とを乗じて、摂氏１５度における容積である１５度換算容積を算出する。この結果、各燃料タンク１２〜１４には、見掛け上、燃料タンクのレベルゲージに示されたレベルに応じた容積の各種燃料が貯蔵されているが、かかる１５度換算容積を算出することにより、摂氏１５度における燃料の容積を把握することができる。これにより、実測した燃料の容積と、後述するように、各燃料タンク１２〜１４に各種燃料を供給する際に帳簿上に記録された摂氏１５度における燃料の容積（帳簿燃料データ）とを正しく比較することができる。
【００４０】
なお、容積換算係数計算機能４１は、燃料タンクデータ受信機２１を介して取得した各燃料タンク１２〜１４の温度及びレベルと、算出した見掛容積及び１５度換算容積と、かかる温度及びレベルを取得したときを示す日時データとを１つの燃料タンク時系列データとしてデータベース５０に格納する。すなわち、かかる温度及びレベルを取得するたびに燃料タンク時系列データが追加されていく。
【００４１】
配管容量加算機能４２は、燃料供給路１１の容積を上述した１５度換算容積に加算するものである。これにより、燃料供給路１１内部に貯留した燃料を各燃料タンク１２〜１４に貯蔵された燃料に加味して正確に燃料の貯蔵量を把握することができる。なお、この燃料供給路１１の容積は予めデータベース５０に格納されているものでもよいし、計算の都度、入力手段等を介して入力されるものでもよい。
【００４２】
帳簿燃料データ比較機能４３は、各燃料タンク１２〜１４の重油等の温度、及びレベルの実測値に基づいて算出された１５度換算容積と、帳簿燃料データとを比較して、その差を算出する。
【００４３】
ここで帳簿燃料データとは、各燃料タンク１２〜１４に対して供給された燃料の容積であり、所定温度として本実施形態では摂氏１５度における容積として、燃料供給路１１などに設けられた流量計を用いて計測して得たものである。この帳簿燃料データは、各燃料タンク１２〜１４に対する燃料の供給時に、摂氏１５度の燃料としてその容積をデータベース５０に記録される。
【００４４】
貯蔵量変化表示機能４４は、データベース５０に格納された複数の燃料タンク時系列データから指定期間に含まれるものを抽出し、抽出された燃料タンク時系列データに含まれる見掛容積、及び１５度換算容積を日時データ毎に表示するものである。
【００４５】
この指定期間は、例えば「開始時刻」と「終了時刻」とからなるものである。貯蔵量変化表示機能４４は、かかる指定期間が与えられると、データベース５０の複数の燃料タンク時系列データから、当該開始時刻と当該終了時刻とに一致する日時データを含む燃料タンク時系列データを取得すると共に、この燃料タンク時系列データの見掛容積、及び１５度換算容積を表示する。
【００４６】
消費予想曲線描画機能４５は、データベース５０にある複数の燃料タンク時系列データから指定期間内に該当するものを抽出し、抽出した燃料タンク時系列データに含まれる１５度換算容積と、所定の予測関数とに基づいて、各燃料タンク１２〜１４に貯蔵された燃料の残存量を予想する消費予想グラフを作成する。すなわち、各燃料タンク１２〜１４に貯蔵された各種燃料の過去における増減を元に、将来の増減を予想する。これにより、燃料タンク貯蔵量管理システム１の使用者に対して、かかる消費予想グラフから何時ごろ燃料の補給をすればよいかを判断するための情報を提供することができる。
【００４７】
なお、この所定の予測関数には、ある既知の数値データを基にして、そのデータの範囲の内側で予想される数値を求める既存の手法を用いる。例えば最小二乗法などがある。
【００４８】
図２は、実施形態１に係る燃料タンク貯蔵量管理システムの処理手順の概略を示す図である。なお、図２は、混合油が貯蔵された燃料タンク１２に関する処理を例示しており、他の燃料タンク１３、１４についても同様である。図示するように、容積換算係数計算機能４１により、燃料タンクデータ受信機２１を介して燃料タンク１２の混合油のレベル及び温度の受信処理が行われる（ステップＳ１）。次に、燃料レベル・容積変換テーブルを用いて、混合油のレベルから混合油の見掛容積の算出処理を行う（ステップＳ２）。次に、混合油の温度及び密度から、混合油の容積換算係数を算出すると共に、かかる容積換算係数と混合油の見掛容積とから１５度換算容積の算出処理を行う（ステップＳ３）。また、配管容量加算機能４２により、算出した１５度換算容積と燃料供給路の容積との合計処理が行われる（ステップＳ４）。そして、ステップＳ１での受信処理を行った日時である日時データと、上述したレベル、温度、見掛容積、及び１５度換算容積（燃料供給路の容積が合計されたもの）とを１つの燃料タンク時系列データとしてデータベース５０へ格納する（ステップＳ５）。ステップＳ５の処理の終了後、所定時間経過後、ステップＳ１を実行する。本実施形態では、ステップＳ１の処理が１分に１度処理されるようにした。
【００４９】
以降、帳簿燃料データ比較機能４３により、帳簿燃料データとの比較処理（ステップＳ６）が行われ、貯蔵量変化表示機能４４により、燃料の貯蔵量の変化の表示処理（ステップＳ７）が行われ、消費予想曲線描画機能４５により、燃料の消費予測処理（ステップＳ８）が行われる。なお、ステップＳ６〜ステップＳ７は順次実行されてもよいし、燃料タンク貯蔵量管理システム１の利用者の指示に基づいて、ステップＳ６〜Ｓ８を選択的に実行してもよい。
【００５０】
図３は、燃料タンクに貯蔵された燃料の１５度換算容積と帳簿燃料データとの比較処理の結果の一例を示す図である。
【００５１】
ステップＳ６の処理の結果、図示するような各燃料タンク１２〜１４の油種、１５度換算容積、帳簿燃料データ、及びその差である出欠斤量が出力される。このように、各燃料タンク１２〜１４の燃料は、１５度換算容積に補正されて帳簿燃料データと比較されているため、燃料タンク貯蔵量管理システム１は、利用者に対して、より正確な出欠斤量を提示することができる。
【００５２】
図４は、燃料タンクに貯蔵された燃料の貯蔵量の変化の表示処理を行った結果についての一例を示す図である。
【００５３】
ステップＳ７の処理の結果、図示するように、指定期間として入力された開始時刻である「２００５年２月１９日１９時４６分」と終了時刻である「２００５年２月２１日１６時４６分」における燃料タンク１２の燃料についてのレベル、温度、見掛容積、１５度換算容積が出力される。このように、各燃料タンク１２〜１４の燃料は、指定期間における燃料の貯蔵量の変化の量が比較されているため、燃料タンク貯蔵量管理システム１は、利用者に対して、指定期間における変化量を明確に提示することができる。
【００５４】
図５は、燃料タンクに貯蔵された燃料の貯蔵量の消費予測の処理を行った結果についての一例を示す図である。
【００５５】
ステップＳ８の処理の結果、図示するように、横軸は或る月の日付を、縦軸は燃料タンク１２の１５度換算容積であり、グラフの実線部はその日付における燃料タンク１２に貯蔵された燃料の貯蔵量を示している。一方、グラフの点線部は将来の或る日付において予想される燃料の貯蔵量を示している。このように、各燃料タンク１２〜１４の燃料は、将来における燃料の貯蔵量が予想されて表示されるため、燃料タンク貯蔵量管理システム１は、利用者が各燃料タンク１２〜１４に燃料を補給する日時を推定することを支援するための情報を提示することができる。
【産業上の利用可能性】
【００５６】
本発明は、燃料タンクを管理、又は運用する業務を行う産業で利用することができる。
【図面の簡単な説明】
【００５７】
【図１】実施形態１に係る燃料タンク貯蔵量管理システムの概略構成を示す図である。
【図２】実施形態１に係る燃料タンク貯蔵量管理システムの処理手順の概略を示す図である。
【図３】燃料タンクに貯蔵された燃料の１５度換算容積と帳簿燃料データとの比較処理の結果の一例を示す図である。
【図４】燃料タンクに貯蔵された燃料の貯蔵量の変化の表示処理を行った結果についての一例を示す図である。
【図５】燃料タンクに貯蔵された燃料の貯蔵量の消費予測の処理を行った結果についての一例を示す図である。
【符号の説明】
【００５８】
１            燃料タンク貯蔵量管理システム
１１            燃料供給路
１２，１３，１４    燃料タンク
２０            燃料タンクデータ発信機
２１            燃料タンクデータ受信機
３０            無線通信手段
４０            情報通信端末
４１            容積換算係数計算機能
４２            配管容量加算機能
４３            帳簿燃料データ比較機能
４４            貯蔵量変化表示機能
４５            消費予想曲線描画機能
５０            データベース
【図１】
2008260552.tif 000006
【図２】
2008260552.tif 000007
【図３】
2008260552.tif 000008
【図４】
2008260552.tif 000009
【図５】
2008260552.tif 000010